(57)【要約】【課題】  マイクロホンとスピーカとが併存する音響空間において、ハウリングを発生させないようにするために、従来は、オペレータが次のようにして音響設備を調整してた。つまり、ローパスフィルタのカットオフ周波数を調整しつつ、音響空間に十分な音量の拡声音を提供することができるようになるまで増幅器の利得を増加させていた。しかしこの方法では、増幅器の調整とローパスフィルタの調整とを同時に行わなくてはならない。そのため調整作業は繁雑であり、特に未熟練者にとっては、その調整作業は困難である。【解決手段】  音声信号特性調整装置は、音声信号を入力する入力部と、音声信号を出力する出力部と、信号処理部とを備える。信号処理部は入力部が入力した音声信号に対して、利得を与えると共に、カットオフ周波数以上の周波数成分を除去してから、出力部に音声信号を送出する。信号処理部の利得は調整可能であり、利得とカットオフ周波数とは連動する。そして、利得が大きくなるほどカットオフ周波数は低くなる、【選択図】  図２
2005333429.tif 000002
【特許請求の範囲】
【請求項１】
音声信号を入力する入力部と、音声信号を出力する出力部と、信号処理部とを備え、
該信号処理部は該入力部が入力した音声信号に対して、利得を与えると共に、カットオフ周波数以上の周波数成分を除去してから、該出力部に該音声信号を送出し、
該信号処理部の該利得が調整可能であり、
該信号処理部の該利得と該カットオフ周波数とが連動し、
該利得が大きくなるほど該カットオフ周波数が低くなる、音声信号特性調整装置。
【請求項２】
該信号処理部が、演算増幅器と、フィードバック回路とを有し、
該フィードバック回路は、該演算増幅器の反転入力端子と出力端子との間で並列に接続された抵抗値可変型の抵抗部とコンデンサとを有し、
該抵抗部の抵抗値を変化させることにより、該信号処理部の利得が変化する、請求項１記載の音声信号特性調整装置。
【請求項３】
該抵抗部は、その抵抗値を、連続的に、または、段階的に変化させることができる抵抗部である、請求項２記載の音声信号特性調整装置。
【請求項４】
該入力部がマイクロホンの出力信号を入力し、
該出力部から出力された音声信号によってスピーカが駆動される、請求項１乃至３のいずれか一の項に記載の音声信号特性調整装置。
【請求項５】
該マイクロホンおよび該スピーカが音響空間に設けられた、請求項４記載の音声信号特性調整装置。
【請求項６】
会議用電気音響システムに組み込まれ、
該音響空間が会議場である、請求項５記載の音声信号特性調整装置。
【発明の詳細な説明】
【技術分野】
【０００１】
本発明は、音声信号特性調整装置に関し、より詳細には、音響空間におけるハウリングを有効に除去することができる音声信号特性調整装置に関する。
【背景技術】
【０００２】
マイクロホンとスピーカとが併存する種々の音響空間（例えば、コンサートホールや会議場など）において、聴取者に不快感を与えないようにするため、また、電気音響設備の損傷を防止するためには、なるべくハウリングを発生させないようにすることが必要である。
【０００３】
ハウリング周波数は、ある音響空間において通常は複数存在し、各ハウリング周波数におけるハウリングマージンも異なる。ハウリング周波数は特に高い周波数帯域において多く存在する。
【０００４】
このことから、マイクロホンとスピーカとが併存する音響空間において、電気音響システムのオペレータは次のように、該システムを調整している。
【０００５】
通常、このような電気音響システムにおいては、マイクロホンとスピーカとの間に、増幅器や周波数特性調整器が直列に配されている。この増幅器は、利得を所定範囲において任意に設定することができるタイプの増幅器である。また、ここにいう周波数特性調整器とは、イコライザやローパスフィルタなど、振幅周波数特性を調整することができる調整器を言う。理解の容易化のために、ここでは、ローパスフィルタが周波数特性調整器として用いられている場合を考える。このローパスフィルタは、カットオフ周波数を所定の周波数範囲で任意に設定することができるタイプのローパスフィルタである。
【０００６】
オペレータは、マイクロホンとスピーカとが配された音響空間において、ハウリングが生じないように、しかも十分な音量の拡声音を該音響空間に提供できるように、電気音響システムを調整する。そのためには、例えば次のような手順で調整を行う。
【０００７】
まず初期段階では、増幅器の利得を十分小さくしておき、ローパスフィルタのカットオフ周波数を十分高い周波数に設定する。カットオフ周波数を十分高い周波数に設定するのは、なるべく広い周波数帯幅での音声の再生を可能にするためである。増幅器の利得を十分小さくしているので、このときにはハウリングは生じない。
【０００８】
次に、徐々に増幅器の利得を増加させてゆく。ある程度、利得を増加させてゆくと、最もハウリングマージンの低いハウリング周波数（第１のハウリング周波数）において、ハウリングが発生する。するとオペレータはローパスフィルタを調整して、そのカットオフ周波数を低くする。ハウリング周波数（第１のハウリング周波数）よりもカットオフ周波数が低くなると、ハウリングは消失する。
【０００９】
音響空間に十分な音量の拡声音を提供するには増幅器の利得がまだ小さすぎる場合は、さらに増幅器の利得を増加させてゆく。すると、ローパスフィルタのカットオフ周波数よりも低いハウリング周波数（第２のハウリング周波数）で、ハウリングが発生する。オペレータはローパスフィルタを再度調整して、そのカットオフ周波数をより低くする。ハウリング周波数（第２のハウリング周波数）よりもカットオフ周波数が低くなると、ハウリングは消失する。
【００１０】
このように、オペレータは、ローパスフィルタのカットオフ周波数を調整しつつ、増幅器の利得を増加させてゆく。この作業は、増幅器の利得によって、音響空間に十分な音量の拡声音を提供することができるようになるまで続けられる。
【００１１】
しかし上記の方法では、増幅器の調整とローパスフィルタの調整とを同時に行わなくてはならない。そのため調整作業は繁雑であり、特に未熟練者にとっては、その調整作業は困難である。また、増幅器の利得調整とローパスフィルタの周波数特性調整を独立して可能にするためには、装置回路の大規模化や複雑化を招く場合もある。
【００１２】
なお、ハウリング周波数を検出する検出装置と帯域除去フィルタを使ってハウリングを除去しようとする試みもある（例えば、特許文献１）が、そのためには複雑な構成の装置が必要である。
【特許文献１】特開平１１−１２７４９６号公報
【発明の開示】
【発明が解決しようとする課題】
【００１３】
本願発明の目的は、構成が簡単で、しかもその操作が簡単であるにもかかわらず、音響空間におけるハウリングを有効に防止することができるような、音声信号特性調整装置を提供することにある。
【課題を解決するための手段】
【００１４】
上記課題を解決するため、本願発明にかかる音声信号特性調整装置は、音声信号を入力する入力部と、音声信号を出力する出力部と、信号処理部とを備え、該信号処理部は該入力部が入力した音声信号に対して、利得を与えると共に、カットオフ周波数以上の周波数成分を除去してから、該出力部に該音声信号を送出し、該信号処理部の該利得が調整可能であり、該信号処理部の該利得と該カットオフ周波数とが連動し、該利得が大きくなるほど該カットオフ周波数が低くなる。
【００１５】
経験的に言えば、音響空間において、ハウリング周波数は比較的高い周波数において多く存する。音声信号特性調整装置の利得を増加させるほど、カットオフ周波数を低くするようにすると、利得を大きくしてもハウリングを発生させないで済む。また、利得を小さくすると、広い周波数帯域での拡声が可能となる。しかも、オペレータは利得の調整のみに専念すればよい。つまり、フィルタ特性を別個に調整する必要はない。
【発明の効果】
【００１６】
本願の音声信号特性調整装置によれば、装置構成を簡単にすることができ、操作を簡単にすることができる。しかも、音響空間におけるハウリングを有効に防止することができる。
【発明を実施するための最良の形態】
【００１７】
本願の音声信号特性調整装置において、信号処理部はどのような装置構成を採ってもよいが、例えば、該信号処理部が、演算増幅器と、フィードバック回路とを有し、該フィードバック回路は、該演算増幅器の反転入力端子と出力端子との間で並列に接続された抵抗値可変型の抵抗部とコンデンサとを有し、該抵抗部の抵抗値を変化させることにより、該信号処理部の利得が変化するように構成することができる。
【００１８】
また、該抵抗部は、その抵抗値を、連続的に、または、段階的に変化させることができる抵抗部であってもよい。
【００１９】
また、該入力部がマイクロホンの出力信号を入力し、該出力部から出力された音声信号によってスピーカが駆動されるようにマイクロホンやスピーカと接続されると、マイクロホンとスピーカとの間で発生するハウリングを防止できる。
【００２０】
また、該マイクロホンおよび該スピーカが音響空間に設けられていてもよい。
【００２１】
また、該音声信号特性調整装置は、音響空間に拡声音を提供するためのいかなる種類の電気音響システムに組み込むことも可能であるが、会議用電気音響システムに組み込まれ、該音響空間が会議場であってもよい。
【実施例１】
【００２２】
以下、本願発明の一実施形態たる音声信号特性調整装置を図面を参照しつつ説明する。
【００２３】
まず、図１を参照しつつ、音声信号特性調整装置Ｄが組み込まれた電気音響システムＥ１を説明する。
【００２４】
この電気音響システムＥ１は、ある音響空間Ａ１に設置されている。この音響空間Ａ１は室内における音響空間であり、側方を側壁で、上方を天井で、下方を床面で囲まれた空間である。
【００２５】
電気音響システムＥ１は、主に、マイクロホンＭと、マイクロホンアンプ１１と、音声信号特性調整装置Ｄと、パワーアンプ１２と、スピーカＳとによって構成されている。
【００２６】
マイクロホンＭに話者の音声が入力されて、マイクロホンＭから音声信号が出力される。この音声信号がマイクロホンアンプ１１を介して、音声信号特性調整装置Ｄに入力される。音声信号特性調整装置Ｄでは、ここに入力された音声信号に対して、利得調整および振幅周波数特性調整が施される。このようにして調整された音声信号が、音声信号特性調整装置Ｄの出力信号として、パワーアンプ１２へ送出される。スピーカＳはパワーアンプ１２からの出力によって駆動される。
【００２７】
図２は、音声信号特性調整装置Ｄの回路図の一例を示す図である。
【００２８】
音声信号特性調整装置Ｄは、入力端子（入力部）２５と抵抗素子２１と演算増幅器２３と出力端子（出力部）２６とフィードバック回路Ｆとを備える。抵抗素子２１と、演算増幅器２３と、フィードバック回路Ｆとにより、信号処理部が構成されている。抵抗素子２１は入力端子２５と演算増幅器２３の反転入力端子の間に介在している。演算増幅器２３とフィードバック回路Ｆとは並列に接続されている。演算増幅器２３の非反転入力端子はアースに接続されており、演算増幅器２３の出力端子は、出力端子（出力部）２６に接続されている。
【００２９】
フィードバック回路Ｆは、コンデンサ３１とボリューム３２とが並列に接続されることによって、構成されている。ボリューム３２は、その抵抗値を連続的に変化させることができる抵抗部として機能する。
【００３０】
この音声信号特性調整装置Ｄは、ローパスフィルタを構成するのであるが、ボリューム３２を調整することにより、その利得とカットオフ周波数とが調整される。
【００３１】
ここで、抵抗素子２１の抵抗値をＲ１、ボリューム３２の抵抗値をＶＲ１、コンデンサ３１の容量をＣ１とすれば、音声信号特性調整装置Ｄの利得（Ｇ）とカットオフ周波数（ｆｃ）とは、次の式で表すことができる。
【００３２】
Ｇ＝ＶＲ１／Ｒ１
ｆｃ＝１／（２π・Ｃ１・ＶＲ１）
上式から、ボリューム３２の抵抗値を大きくすると、利得（Ｇ）が大きくなり、カットオフ周波数（ｆｃ）が低くなることがわかる。
【００３３】
ボリューム３２の抵抗値は連続的に変化させることができるので、ボリューム３２の調整によって、利得（Ｇ）とカットオフ周波数（ｆｃ）を連続的に変化させることができる。利得とカットオフ周波数とは連動する。
【００３４】
図３は、音声信号特性調整装置Ｄの振幅周波数特性を模式的に示す図である。ボリューム３２の抵抗値をＲａ,Ｒｂ,Ｒｃに設定したときの、音声信号特性調整装置Ｄの振幅周波数特性が、それぞれ、実線ａ、実線ｂ、実線ｃで示す特性である。ここで（Ｒａ＜Ｒｂ＜Ｒｃ）の関係がある。
【００３５】
実線ａで示す振幅周波数特性の利得はＧａであり、カットオフ周波数はｆｃａである。実線ｂで示す振幅周波数特性の利得はＧｂであり、カットオフ周波数はｆｃｂである。実線ｃで示す振幅周波数特性の利得はＧｃであり、カットオフ周波数はｆｃｃである。
【００３６】
図中のｆｈ１、ｆｈ２は、それぞれハウリング周波数である。
【００３７】
経験的に、高い周波数におけるハウリング周波数のハウリングマージンは小さく（つまり、ハウリングしやすく）、比較的低い周波数におけるハウリング周波数のハウリングマージンは大きい（つまり、ハウリングしにくい）。図１の音響空間Ａ１においては、Ｇａを超えＧｂを超えない所定の利得以上の利得が設定されたときに周波数ｆｈ１でハウリングが発生するものとし、Ｇｂを超えＧｃを超えない所定の利得以上の利得が設定されたときに周波数ｆｈ２でハウリングが発生するものとする。
【００３８】
次に、図３を参照しつつ、音声信号特性調整装置Ｄの操作手順を説明する。
【００３９】
まず、オペレータは、ボリューム３２を、その抵抗値がＲａとなるように調整する。すなわち、音声信号特性調整装置Ｄの利得が十分に小さく、カットオフ周波数ｆｃが十分に高くなるように、音声信号特性調整装置Ｄを調整する。
【００４０】
ハウリング周波数ｆｈ１、ｆｈ２は、いずれもカットオフ周波数ｆｃａよりも低い。すなわちこのときには、音声信号特性調整装置Ｄの再生可能周波数範囲内に、ハウリング周波数ｆｈ１とハウリング周波数ｆｈ２とが含まれている。しかし、利得が十分に小さいため、ハウリングは発生しない。
【００４１】
次に、オペレータはボリューム３２を操作し、その抵抗値を徐々に大きくしてゆく。ボリューム３２の抵抗値がＲｂとなったとき、音声信号特性調整装置Ｄの利得はＧｂとなり、カットオフ周波数はｆｃｂとなる。
【００４２】
周波数ｆｈ１において、利得Ｇｂが設定されると、ハウリングが発生するのであるが、音声信号特性調整装置Ｄによってカットオフ周波数ｆｃｂよりも高い周波数の信号成分が除去されるので、周波数ｆｈ１でのハウリングは発生しない。
【００４３】
さらにオペレータはボリューム３２を操作し、その抵抗値を徐々に大きくしてゆく。ボリューム３２の抵抗値がＲｃとなったとき、音声信号特性調整装置Ｄの利得はＧｃとなり、カットオフ周波数はｆｃｃとなる。
【００４４】
周波数ｆｈ２において、利得Ｇｃが設定されると、ハウリングが発生するのであるが、音声信号特性調整装置Ｄによってカットオフ周波数ｆｃｃよりも高い周波数の信号成分が除去されるので、周波数ｆｈ２でのハウリングは発生しない。
【００４５】
利得Ｇｃによって、この音響空間Ａ１に十分な音量の拡声音を提供できるので、オペレータはボリューム３２の操作を停止する。
【００４６】
このように、オペレータは単にボリューム３２を操作するだけで、ハウリング周波数を回避しつつ、音声信号特性調整装置Ｄを所望の利得に設定することができる。
【００４７】
この音声信号特性調整装置Ｄにおいては、ボリューム３２として、機械式ボリュームを用いることもできるし、電子式ボリュームを用いることもできる。
【００４８】
また、音声信号特性調整装置Ｄは、ローパスフィルタの特性を有するが、音声信号特性調整装置Ｄが有する振幅周波数特性は、必ずしもローパスフィルタのような特性でなくともよい。例えば、低域側において約２０Ｈｚのカットオフ周波数を有し、高域側において可変のカットオフ周波数を有する、バンドパスフィルタのような振幅周波数特性であってもよい。
【００４９】
この音声信号特性調整装置Ｄの好ましい設定は次の通りである。つまり、ボリューム３２がその抵抗値可変範囲における略中央値に設定されたときに、スピーカＳからの拡声音が、音響空間Ａ１の用途のための通常の使用に耐える程度の音量となるように、電気音響システムＥ１を調整しておくのである。このような音量でスピーカＳが拡声しても、音響空間Ａ１でハウリングが発生しないように、音声信号特性調整装置Ｄのコンデンサ３１の容量を決定すればよい。
【００５０】
そして、話者が通常想定されるよりも小さな声をマイクロホンに向かって発したときには、ボリューム３２を操作することにより音声信号特性調整装置Ｄの利得を増加させる。利得の増加に伴ってカットオフ周波数が低くなるので、利得を増加させてもハウリングは生じない。
【００５１】
また、マイクロホンアンプ１１よりも大きなレベルが出力される音源装置、例えばＣＤプレーヤなどの出力信号が音声信号特性調整装置Ｄに入力されるときには、ボリューム３２を操作することにより音声信号特性調整装置Ｄの利得を低下させる。音声信号特性調整装置Ｄへの入力信号のレベルが大きいので、音声信号特性調整装置Ｄの利得を低下させても、十分な音量の拡声音が音響空間Ａ１に提供される。また、音声信号特性調整装置Ｄの利得の低下に伴いカットオフ周波数が高くなるので、広い周波数帯域での再生が可能となる。
【００５２】
上述したように、この音声信号特性調整装置Ｄは、その利得が大きくなるほどカットオフ周波数が低くなるのである。しかし、調整可能な利得のすべての範囲において、利得の変化に連動してカットオフ周波数が変化するように構成する必要はない。調整可能な利得の全範囲のうちの所定の範囲内においてのみ、利得の変化に連動してカットオフ周波数が変化するように構成してもよい。例えば、音声信号特性調整装置Ｄによって設定することができる最小の利得以上かつ所定の利得以下の範囲においては、利得を変化させてもカットオフ周波数が変化せず、該所定の利得を超える利得の範囲においてのみ、利得が大きくなるほどカットオフ周波数が低くなるように構成してもよい。
【００５３】
この音声信号特性調整装置Ｄは、ハウリング発生を防止する必要のある音響空間に設置された、種々の電気音響システムに組みこむことが出来る。例えば、野球場のような上空に開放された音響空間に設置された電気音響システムに組みこむこともできる。一部が外部空間に開放された音響空間であっても、ハウリングが生ずることがあるからである。もちろん、体育館のような周囲を壁等で囲まれた音響空間に設置された電気音響システムに組みこむこともできるし、各種の室の内部空間に設置された電気音響システムに組みこむこともできる。
【００５４】
図４は、会議場（音響空間）Ａ２に設置された会議用電気音響システムＥ２に、音声信号特性調整装置Ｄを組み込んだ例を示す、概略構成図である。
【００５５】
会議用電気音響システムＥ２は、会議に参加する複数の参加者用の複数のマイクロホンＭを備えている。これらマイクロホンＭからの出力信号はミキシング装置１３によって合成され、この合成された音声信号がスピーカＳから拡声される。音声信号特性調整装置Ｄは、ミキシング装置１３とスピーカＳとの間に配設されている。
【００５６】
参加者の発言は、会議への他の参加者のみならず、傍聴者にも聞こえるようにしなければならない。よって、スピーカＳからは比較的大きな拡声音が発せられる。このため、スピーカＳからの拡声音がマイクロホンＭへ回り込みやすく、このことがハウリングの原因となる。よって、このような会議用電気音響システムＥ２に音声信号特性調整装置Ｄを組み込むことは、ハウリング防止の観点から有効である。
【００５７】
なお、図示していないが、合成された音声信号（ミキシング装置１３で合成された音声信号）を、会議への各参加者に対して個別に提供するための小型のスピーカを設けるようにしてもよい。
【実施例２】
【００５８】
次に、本願発明の他の実施形態たる音声信号特性調整装置を図面を参照しつつ説明する。
【００５９】
図５は、音声信号特性調整装置Ｄの回路図の他の例を示す図である。
【００６０】
音声信号特性調整装置Ｄは、入力端子２５と演算増幅器２３と出力端子２６とフィードバック回路Ｆとを備える。入力端子２５は演算増幅器２３の非反転入力端子に接続されている。演算増幅器２３とフィードバック回路Ｆとは並列に接続されている。
【００６１】
フィードバック回路Ｆは、コンデンサ３１とボリューム３２とが並列に接続され、さらに、演算増幅器２３の反転入力端子とアースとの間に抵抗素子２２を介在させることによって構成されている。
【００６２】
このような音声信号特性調整装置Ｄを、図１の電気音響システムＥ１の音声信号特性調整装置として、または、図４の電気音響システムＥ２の音声信号特性調整装置として用いることもできる。
【００６３】
図５の音声信号特性調整装置Ｄも、ローパスフィルタを構成するのであるが、ボリューム３２を調整することにより、その利得とカットオフ周波数とが調整される。
【００６４】
ここで、抵抗素子２２の抵抗値をＲ２、ボリューム３２の抵抗値をＶＲ１、コンデンサ３１の容量をＣ１とすれば、音声信号特性調整装置Ｄの利得（Ｇ）とカットオフ周波数（ｆｃ）とは、次のように表すことができる。
【００６５】
Ｇ＝１＋（ＶＲ１／Ｒ２）
ｆｃ＝１／（２π・Ｃ１・ＶＲ１）
上式から、ボリューム３２の抵抗値を大きくしてゆくと、利得（Ｇ）が大ききくなり、カットオフ周波数（ｆｃ）が低くなることがわかる。
【００６６】
ボリューム３２の抵抗値は連続的に変化させることができるので、上式の利得（Ｇ）とカットオフ周波数（ｆｃ）も、連続的に変化させることができる。
【００６７】
この音声信号特性調整装置Ｄを使う場合であっても、オペレータは単にボリューム３２を操作するだけで、ハウリング周波数を回避しつつ、音声信号特性調整装置Ｄを所望の利得に設定することができる。
【実施例３】
【００６８】
次に、本願発明のさらに他の実施形態たる音声信号特性調整装置を図面を参照しつつ説明する。
【００６９】
図６は、音声信号特性調整装置Ｄの回路図の他の例を示す図である。
【００７０】
音声信号特性調整装置Ｄは、入力端子２５と抵抗素子２１と演算増幅器２３と出力端子２６とフィードバック回路Ｆとを備える。抵抗素子２１は入力端子２５と演算増幅器２３の反転入力端子の間に介在している。演算増幅器２３とフィードバック回路Ｆとは並列に接続されている。
【００７１】
フィードバック回路Ｆは、コンデンサ３１と、抵抗値の異なる複数の抵抗素子４０ａ〜４０ｆと、各抵抗素子４０ａ〜４０ｆと演算増幅器２３の出力端子との間に介在する複数のスイッチ素子４１ａ〜４１ｆとで構成されている。
【００７２】
抵抗素子４０ａ〜４０ｆおよびスイッチ素子４１ａ〜４１ｆによって抵抗値可変型の抵抗部Ｔが構成されている。この抵抗部Ｔは、複数のスイッチ素子４１ａ〜４１ｆのうちのいずれをオン状態にするかによって、その抵抗値を段階的に変化させることができる。
【００７３】
つまり、抵抗素子４０ａ〜４０ｆのうちのいずれを演算増幅器２３の出力端子に接続させるかをスイッチ素子４１ａ〜４１ｆの操作によって選択することができ、この選択により、音声信号特性調整装置Ｄの利得とカットオフ周波数とを選択することができる。このときの音声信号特性調整装置Ｄの利得およびカットオフ周波数の変化は、段階的である。利得とカットオフ周波数とは連動する。
【００７４】
この音声信号特性調整装置Ｄにおいても、利得を大きくするほど、カットオフ周波数が低くなる。オペレータは単にスイッチ素子４１ａ〜４１ｆの選択的な操作のみによって、ハウリング周波数を回避しつつ、音声信号特性調整装置Ｄを所望の利得に設定することができる。
【実施例４】
【００７５】
次に、本願発明のさらに他の実施形態たる音声信号特性調整装置を図面を参照しつつ説明する。
【００７６】
図７は、音声信号特性調整装置Ｄの回路図の他の例を示す図である。
【００７７】
音声信号特性調整装置Ｄは、入力端子２５と抵抗素子２１と演算増幅器２３と出力端子２６とフィードバック回路Ｆとを備える。抵抗素子２１は入力端子２５と演算増幅器２３の反転入力端子の間に介在している。演算増幅器２３とフィードバック回路Ｆとは並列に接続されている。
【００７８】
フィードバック回路Ｆは、コンデンサ３１と、ボリューム３２と、抵抗素子２２とで構成されている。コンデンサ３１の両端が演算増幅器２３の反転入力端子と出力端子とに接続されている。また、ボリューム３２の移動端子が演算増幅器の反転入力端子に接続されている。ボリューム３２の固定端子の一方は演算増幅器２３の出力端子に接続されている。ボリューム３２の固定端子の他方は抵抗素子２２を介してアースに接続されている。
【００７９】
このような音声信号特性調整装置Ｄを、図１の電気音響システムＥ１の音声信号特性調整装置として、または、図４の電気音響システムＥ２の音声信号特性調整装置として用いることもできる。
【００８０】
図７の音声信号特性調整装置Ｄも、ローパスフィルタを構成するのであるが、ボリューム３２を調整することにより、その利得とカットオフ周波数とが調整される。
【００８１】
この音声信号特性調整装置Ｄにおいても、ボリューム３２の抵抗値を大きくしてゆくと、利得が大きくなり、カットオフ周波数が低くなる。また、ボリューム３２の抵抗値は連続的に変化させることができるので、利得とカットオフ周波数も、連続的に変化させることができる。
【００８２】
オペレータは単にボリューム３２を操作するだけで、ハウリング周波数を回避しつつ、音声信号特性調整装置Ｄを所望の利得に設定することができる。
【実施例５】
【００８３】
次に、本願発明のさらに他の実施形態たる音声信号特性調整装置Ｄを図面を参照しつつ説明する。
【００８４】
図８は、音声信号特性調整装置Ｄの回路図の他の例を示す図である。
【００８５】
音声信号特性調整装置Ｄは、入力端子２５と抵抗素子２１と演算増幅器２３と出力端子２６とフィードバック回路Ｆとを備える。抵抗素子２１は入力端子２５と演算増幅器２３の反転入力端子の間に介在している。演算増幅器２３とフィードバック回路Ｆとは並列に接続されている。
【００８６】
フィードバック回路Ｆは、コンデンサ３１と、直列に接続された複数の抵抗素子５０ａ〜５０ｆ,２２と、複数のスイッチ素子４１ａ〜４１ｆとで構成されている。直列接続された抵抗素子の一端は演算増幅器２３の出力端子に接続されており、他端はアースに接続されている。各スイッチ素子４１ａ〜４１ｆは、該直列接続された複数の抵抗素子のうちの隣り合う２の抵抗素子の接続点と演算増幅器２３の反転入力端子との間に介在している。
【００８７】
抵抗素子５０ａ〜５０ｆおよびスイッチ素子４１ａ〜４１ｆによって抵抗値可変型の抵抗部Ｔが構成されている。この抵抗部Ｔは、複数のスイッチ素子４１ａ〜４１ｆのいずれをオン状態にするかによって、コンデンサ３１と並列となる抵抗の値を段階的に変化させることができる。
【００８８】
オペレータは、いずれのスイッチをオン状態にするかによって、音声信号特性調整装置Ｄの利得とカットオフ周波数とを選択することができる。このときの、音声信号特性調整装置Ｄの利得およびカットオフ周波数の変化は、段階的である。
【００８９】
この音声信号特性調整装置Ｄにおいても、利得を大きくするほど、カットオフ周波数が低くなる。オペレータは単にスイッチ素子４１ａ〜４１ｆの選択的な操作のみによって、ハウリング周波数を回避しつつ、音声信号特性調整装置Ｄを所望の利得に設定することができる。
【実施例６】
【００９０】
次に、本願発明のさらに他の実施形態たる音声信号特性調整装置Ｄを図面を参照しつつ説明する。
【００９１】
図９は、音声信号特性調整装置Ｄの回路図の他の例を示す図である。
【００９２】
音声信号特性調整装置Ｄは、入力端子２５と、Ａ／Ｄ変換器６０と、利得調整部６１と、ローパスフィルター部６２と、Ｄ／Ａ変換器６３と、出力端子２６と、制御部６４と、操作部６５とを備える。利得調整部６１と、ローパスフィルター部６２と、制御部６４と、操作部６５とによって、信号処理部が構成されている。利得調整部６１とローパスフィルター部６２とは、デジタル音声信号に対して信号処理を施す。入力端子２５に入力された音声信号はＡ／Ｄ変換器６０によってＡ／Ｄ変換されてから利得調整部６１に送出される。利得調整部６１は、デジタル音声信号を入力して、利得を該信号に与えてから出力する。ローパスフィルター部６２は、利得調整部６１が出力したデジタル音声信号を入力し、この信号からカットオフ周波数以上の周波数成分を除去してから出力する。ローパスフィルター部６２が出力した信号は、Ｄ／Ａ変換器６３によってＤ／Ａ変換されてから出力端子２６に送出される。
【００９３】
操作部６５は、例えばロータリーエンコーダのような、オペレータが手動操作することができる部材である。操作部６５からの信号に応じて、制御部６４は、利得調整部６１の利得とローパスフィルター部６２のカットオフ周波数とを制御する。制御部６４は、利得調整部６１の利得が大きくなるほど、ローパスフィルター部６２のカットオフ周波数が低くなるように、利得調整部６１とローパスフィルター部６２とを制御する。
【００９４】
この音声信号特性調整装置Ｄにおいても、利得を大きくするほど、カットオフ周波数が低くなる。オペレータは操作部６５の操作のみによって、ハウリング周波数を回避しつつ、音声信号特性調整装置Ｄを所望の利得に設定することができる。
【産業上の利用可能性】
【００９５】
本願の音声信号特性調整装置を用いることにより、簡単な操作でハウリングを有効に除去することができるので、電気音響の技術分野に利用できる。
【図面の簡単な説明】
【００９６】
【図１】本願発明に従った音声信号特性調整装置が組み込まれた電気音響システムの概略構成図である。
【図２】音声信号特性調整装置の回路図の一例を示す図である。
【図３】音声信号特性調整装置の振幅周波数特性を模式的に示す図である。
【図４】音声信号特性調整装置が組み込まれた会議用電気音響システムの概略構成図である。
【図５】音声信号特性調整装置の回路図の他の例を示す図である。
【図６】音声信号特性調整装置の回路図の他の例を示す図である。
【図７】音声信号特性調整装置の回路図の他の例を示す図である。
【図８】音声信号特性調整装置の回路図の他の例を示す図である。
【図９】音声信号特性調整装置の回路図の他の例を示す図である。
【符号の説明】
【００９７】
Ａ１  音響空間
Ａ２  会議場
Ｄ  音声信号特性調整装置
Ｅ１，Ｅ２  電気音響システム
Ｆ  フィードバック回路
Ｍ  マイクロホン
Ｓ  スピーカ
Ｔ  抵抗部
１１  マイクロホンアンプ
１２  パワーアンプ
１３  ミキシング装置
２１，２２  抵抗素子
２３  演算増幅器
２５  入力端子
２６  出力端子
３１  コンデンサ
３２  ボリューム
４０ａ〜４０ｆ，５０ａ〜５０ｆ  抵抗素子
４１ａ〜４１ｆ  スイッチ素子
６０  Ａ／Ｄ変換器
６１  利得調整部
６２  ローパスフィルター部
６３  Ｄ／Ａ変換器
６４  制御部
６５  操作部
【図１】
2005333429.tif 000003
【図２】
2005333429.tif 000004
【図３】
2005333429.tif 000005
【図４】
2005333429.tif 000006
【図５】
2005333429.tif 000007
【図６】
2005333429.tif 000008
【図７】
2005333429.tif 000009
【図８】
2005333429.tif 000010
【図９】
2005333429.tif 000011